(57)【要約】【課題】原稿押圧部材の存在による原稿サイズの誤検知を防止する。【解決手段】第１キャリッジ６が原稿サイズ読取位置２８にある状態において、原稿押圧部材２０が閉鎖状態であることがフィラーとフォトインタラプタセンサとからなる開閉検知部材にて検知されると、第１キャリッジ６のランプを点灯させ、第１キャリッジ６を原稿サイズ検知位置２８から、ホームポジションである原稿読取待機位置２９まで移動させ、第２キャリッジ７との協働にて主走査方向の原稿データを副走査方向に複数回読み取り、この読み取った原稿データに基づいて原稿サイズを決定する。【選択図】図３
2006254182.tif 000002
【特許請求の範囲】
【請求項１】
透光性を有する原稿載置台と、この原稿載置台に載置された原稿を上方から押圧する原稿押圧部材と、原稿情報の読み取りと、原稿サイズの検知を行うため原稿を光学的に走査する走査体とを備えた画像読取装置において、
前記原稿押圧部材の開閉状態を検知する開閉検知部材と、この開閉検知部材により前記原稿押圧部材の閉鎖状態が検知された場合に、前記走査体における原稿サイズ検知動作を行わせる制御部を備えたことを特徴とする画像読取装置。
【請求項２】
原稿を照明するための光源を有する前記走査体を原稿に対して平行に移動させ、原稿の主走査方向のデータを副走査方向に複数収集し、収集したデータに基づき原稿のサイズを決定することを特徴とする請求項１記載の画像読取装置。
【請求項３】
前記走査体を、前記原稿押圧部材が閉じられたときに、原稿サイズ読取位置から原稿読取待機位置に移動させることを特徴とする請求項１または２記載の画像読取装置。
【請求項４】
前記走査体により原稿の主走査方向のデータを副走査方向に複数収集して原稿の主走査方向におけるサイズを検知し、かつ原稿の副走査方向におけるサイズを原稿サイズ検知センサにより検知することを特徴とする請求項１〜３いずれか１項記載の画像読取装置。
【請求項５】
前記原稿押圧部材の開閉検知時に、該原稿押圧部材が前記原稿サイズ検知センサの鉛直上方に位置するように構成したことを特徴とする請求項４記載の画像読取装置。
【請求項６】
前記原稿押圧部材の開閉検知時に、該原稿押圧部材が前記原稿サイズ検知センサの原稿サイズ検知範囲外にあるように構成したことを特徴とする請求項４記載の画像読取装置。
【請求項７】
画像読取部と、この画像読取部からの原稿情報と原稿サイズデータとを受けて画像形成を行う画像形成部を備えた画像形成装置において、
前記画像読取部として請求項１〜６いずれか１項記載の画像読取装置を搭載したことを特徴とする画像形成装置。
【発明の詳細な説明】
【技術分野】
【０００１】
本発明は、透光性の原稿載置台と、原稿を原稿載置台に押圧する原稿押圧部材と、原稿を光学的に走査する走査体とを備えた画像読取装置に係り、特に原稿のサイズ検知に関するものである。
【背景技術】
【０００２】
画像読取装置において、原稿載置台であるコンタクトガラス上に載置した原稿を照明し、原稿の反射光をＣＣＤイメージセンサによって読み取る光学的読取構造のものが一般的である。
【０００３】
通常、原稿の大きさと変倍率、さらに読取密度を設定し、その設定にしたがって読み取り線速，読取距離などの読取条件を決定するが、それらの設定をユーザ自身が行うより、装置自体の判断により自動設定を行う方がユーザによって操作性がよく、設定ミスも防止することが可能になる。
【０００４】
このため、例えば特許文献１などに示される自動原稿サイズ検知方法の発明が提案されている。この発明によると、原稿の主走査方向のサイズ判定にはＣＣＤイメージセンサにて読み取った画像データを用い、副走査方向のサイズ判定には原稿有無検知センサの出力を用いて原稿サイズの検知を行っている。
【特許文献１】特許第３１６８６６６号公報
【発明の開示】
【発明が解決しようとする課題】
【０００５】
前記従来の方法によって、副走査方向任意の１ラインの画像データのみを走査する場合、走査ライン上のコンタクトガラス上にゴミなどの異物が付着したり、走査ライン上の原稿濃度が非常に高濃度である場合に、原稿サイズを誤検知してしまうおそれがある。
【０００６】
また、原稿検知実施中に、ユーザによって原稿が移動されたり、原稿をコンタクトガラス面に押下する原稿押圧部材の開閉によって、原稿がずれてしまった場合に、誤検知してしまう可能性がある。
【０００７】
また、ＣＣＤイメージセンサを用いて原稿の複数ラインを読み取るためには、光源を搭載した走行体を動かす必要がある。走行体を動かすタイミングと、ユーザが原稿をセットしたタイミングとがずれてしまうと、例えば原稿未セットの状態や、ユーザがセット中でまだ原稿を動かしているような状態において原稿サイズを検知してしまうと、原稿サイズを誤検知してしまうことになる。
【０００８】
また、副走査方向のサイズ検知に原稿サイズ検知センサを用いる場合、原稿サイズ検知センサの上方に蛍光灯などの発光体があると、発光体からの入射光と原稿からの反射光を誤検知して、実際には原稿がないのにも関わらず、原稿があると誤検知してしまう可能性がある。
【０００９】
さらに、副走査方向の原稿サイズ検知センサの原稿検知範囲内に原稿押圧部材が入った場合、原稿押圧部材を実際の原稿と誤検知して、実際には原稿がないのにも関わらず、原稿があると誤検知してしまう可能性がある。
【００１０】
本発明の目的は、前記従来の課題を解決し、原稿押圧部材の存在による原稿サイズの誤検知を防止する画像読取装置、および、その画像読取装置を搭載する画像形成装置を提供することにある。
【課題を解決するための手段】
【００１１】
前記目的を達成するため、請求項１に記載の発明は、透光性を有する原稿載置台と、この原稿載置台に載置された原稿を上方から押圧する原稿押圧部材と、原稿情報の読み取りと、原稿サイズの検知を行うため原稿を光学的に走査する走査体とを備えた画像読取装置において、前記原稿押圧部材の開閉状態を検知する開閉検知部材と、この開閉検知部材により前記原稿押圧部材の閉鎖状態が検知された場合に、前記走査体における原稿サイズ検知動作を行わせる制御部を備えたことを特徴とし、原稿押圧部材の開閉を検知し、その結果に応じて原稿サイズ検知のため走査体を動作させるため、ユーザの操作状況に合わせたタイミングで原稿サイズ検知を行うことができ、誤検知を防止することができる。
【００１２】
請求項２に記載の発明は、請求項１記載の画像読取装置において、原稿を照明するための光源を有する走査体を原稿に対して平行に移動させ、原稿の主走査方向のデータを副走査方向に複数収集し、収集したデータに基づいて原稿のサイズを決定することを特徴とする。
【００１３】
請求項３に記載の発明は、請求項１または２記載の画像読取装置において、走査体を、原稿押圧部材が閉じられたときに、原稿サイズ読取位置から原稿読取待機位置に移動させることを特徴とし、この構成によって、原稿押圧部材が閉じたときに原稿サイズ読取待機位置から原稿読取位置に移動させるため、ユーザが確実に原稿をセットしたタイミングで原稿サイズ検知を行うことができ、誤検知を防止することができる。
【００１４】
請求項４に記載の発明は、請求項１〜３いずれか１項記載の画像読取装置において、走査体により原稿の主走査方向のデータを副走査方向に複数収集して原稿の主走査方向におけるサイズを検知し、かつ原稿の副走査方向におけるサイズを原稿サイズ検知センサにより検知することを特徴とする。
【００１５】
請求項５に記載の発明は、請求項４記載の画像読取装置において、原稿押圧部材の開閉検知時に、該原稿押圧部材が原稿サイズ検知センサの鉛直上方に位置するように構成したことを特徴とし、この構成によって、副走査用の原稿サイズ検知センサの上方の外乱光の進入を防止することができるため、副走査方向の検知精度が向上し、確実に原稿サイズ検知を行うことができる。
【００１６】
請求項６に記載の発明は、請求項４記載の画像読取装置において、原稿押圧部材の開閉検知時に、該原稿押圧部材が原稿サイズ検知センサの原稿サイズ検知範囲外にあるように構成したことを特徴とし、この構成によって、副走査用の原稿サイズ検知センサの検知範囲に原稿押圧部材が進入しないため、原稿押圧部材の誤認識がなくなり、副走査方向の検知制度が向上し、確実に原稿サイズ検知を行うことができる。
【００１７】
請求項７に記載の発明は、画像読取部と、この画像読取部からの原稿情報と原稿サイズデータとを受けて画像形成を行う画像形成部を備えた画像形成装置において、前記画像読取部として請求項１〜６いずれか１項記載の画像読取装置を搭載したことを特徴とし、この構成によって、正確な原稿サイズ検知に基づく、良好で信頼性の高い画像形成が行われることになる。
【発明の効果】
【００１８】
本発明に係る画像読取装置によれば、原稿押圧部材の開閉を検知し、その結果に応じて原稿サイズ検知のため走査体を動作させるため、ユーザの操作状況に合わせたタイミングで原稿サイズ検知を行うことができ、誤検知を防止することができる。
【００１９】
また、当該画像読取装置を搭載することによって、正確な原稿サイズ検知に基づく、良好で信頼性の高い画像形成装置が実現する。
【発明を実施するための最良の形態】
【００２０】
以下、本発明の実施の形態を図面に基づいて説明する。
【００２１】
図１は本発明の実施形態である画像読取装置の概略構成を示す断面図である。
【００２２】
図１において、原稿載置台であるコンタクトガラス１上に載置された原稿Ｄに対して、光源であるランプ２により光を照射し、第１ミラー３，第２ミラー４，第３ミラー５によって反射させた光をレンズ８によって集光し、ＣＣＤ９に結像する。
【００２３】
そして、ランプ２および第１ミラー３が距離Ｌだけ進む間に第２ミラー４および第３ミラー５は距離Ｌ／２だけ進む。このことにより、光学系の光路長を一定に保ち、原稿全体が走査される。
【００２４】
図２は図１に示す画像読取装置における機械系の構成を示す斜視図である。
【００２５】
図２において、ランプ２と第１ミラー３を備えた第１キャリッジ６は、駆動ワイヤ１１に取り付けられ、また前記第２ミラー４と第３ミラー５とを備えた第２キャリッジ７は、プーリ１２に駆動ワイヤ１１が巻回されている。さらに、駆動ワイヤ１１は、駆動軸１４に繋がれたワイヤプーリ１５に巻回され、タイミングプーリ１６とタイミングベルト１７とを介して、駆動モータ１８の回転駆動力が伝達される。
【００２６】
前記第１キャリッジ６の一端がホームポジションセンサ１３を横切ってから、ある一定距離をリターンさせた位置をホームポジションとしている。第１キャリッジ６と第２キャリッジ７とが、原稿情報と原稿サイズを検知するための走査体として機能する
図３は本実施形態の要部を説明するための画像読取装置の平面図、図４は図３に示す画像読取装置の側面図である。
【００２７】
図３，図４において、２０は原稿Ｄをコンタクトガラス１上に押下する原稿押圧部材、２１は原稿押圧部材２０と連動して動くフィラー、２２はフィラー２１を検知するフォトインタラプタセンサであって、フィラー２１とフォトインタラプタセンサ２２とにより原稿押圧部材２０の開閉検知部材を構成し、原稿押圧部材２０の開閉を検知する。
【００２８】
本例では、フォトインタラプタセンサ２２の中にフィラー２１が無い状態から有る状態になったときに、光を透過しない部材からなる原稿押圧部材２０がコンタクトガラス１を覆い、上面を閉鎖している状態であると判断する。
【００２９】
また図３，図４において、２３，２４は原稿の規定サイズが表示されている原稿サイズスケール、２５は原稿の副走査のサイズを検知する原稿サイズ検知センサであり、２６は原稿サイズ検知センサ２５の設置範囲（原稿押圧部材２０がセンサ鉛直方向にある範囲）、２７は原稿サイズ検知センサ２５の原稿検知範囲（センサ検知範囲に原稿押圧部材２０が移動しない範囲）、２８は第１キャリッジ６の原稿サイズ読取位置、２９は第１キャリッジ６の原稿読取待機位置（ホームポジション）である。
【００３０】
本実施形態における原稿サイズ検知の基本動作について図５のフローチャートを参照して説明する。なお、以下の制御は装置に搭載された図示しない制御部であるＣＰＵ（中央演算処理装置）により行われる。
【００３１】
第１キャリッジ６が原稿サイズ検知位置２８にある状態において（Ｓ１）、原稿押圧部材２０が閉鎖状態であることがフィラー２１とフォトインタラプタセンサ２２にて検知されると（Ｓ２）、第１キャリッジ６のランプ２を点灯させ、第１キャリッジ６を原稿サイズ検知位置２８から、ホームポジション、つまり原稿読取待機位置２９まで移動させ（Ｓ３）、第２キャリッジ７との協働にて主走査方向の原稿データ（サイズデータ）を副走査方向に複数回読み取り（Ｓ４）、キャリッジ６，７の移動を終了する（Ｓ５）。
【００３２】
このときのデータの読み取りは、連続的でもよいし、ある範囲のデータの集合であってもよい。複数回読み取ることによって検知精度が向上する。このデータによって、閾値よりも明るいデータがあった部分は原稿が存在すると判断する。
【００３３】
また、同じく原稿押圧部材２０が閉じている状態であると判断された時点で、副走査方向の原稿サイズを読み取って確定し、主走査方向のサイズデータと副走査方向のサイズデータを基にして、原稿サイズを決定する。
【００３４】
副走査方向のサイズ検知のために、本実施形態のように原稿サイズ検知センサ２５を搭載している場合、原稿サイズ検知センサ２５の上方に蛍光灯などの外乱光が存在すると、外乱光の影響によって原稿サイズ検知センサ２５が誤検知してしまうおそれがあるため、原稿押圧部材２０が原稿サイズ検知センサ２５の上方の外乱光を遮ることができる角度になってから、フィラー２１がフォトインタラプタセンサ２２に入るように、フィラー２１とフォトインタラプタセンサ２２を設置する。
【００３５】
また、副走査方向の原稿サイズを検知するための原稿サイズ検知センサ２５は、通常、コンタクトガラス１上の原稿の有無を判定するものであるが、原稿押圧部材２０がコンタクトガラス１に必要以上に近づき過ぎる角度で原稿押圧部材２０が閉じられて、原稿サイズ検知センサ２５の検知範囲に原稿押圧部材２０が入っていると、実際には原稿がないときでも原稿押圧部材２０を原稿と誤検知してしまうことがあるため、原稿サイズ検知センサ２５の原稿検知範囲外の時点でフィラー２１がフォトインタラプタセンサ２２に入るように、フィラー２１とフォトインタラプタセンサ２２を設置する。
【産業上の利用可能性】
【００３６】
本発明は、ファクシミリ装置，複写機，プリンタなどの原稿読取部である画像読取装置に適用され、特にコンタクトガラスなどの原稿載置台に、原稿を押し付ける原稿押圧部材が設けられ、かつ原稿載置台を通して原稿サイズを光学的に検知する画像読取装置に実施して有効である。
【図面の簡単な説明】
【００３７】
【図１】本発明の実施形態である画像読取装置の概略構成を示す断面図
【図２】図１の画像読取装置における機械系の構成を示す斜視図
【図３】本実施形態の要部を説明するための画像読取装置の平面図
【図４】図３の画像読取装置の側面図
【図５】本実施形態における原稿サイズ検知の基本動作に係るフローチャート
【符号の説明】
【００３８】
１  コンタクトガラス
２  ランプ
３，４，５  ミラー
６  第１キャリッジ
７  第２キャリッジ
９  ＣＣＤ
２０  原稿押圧部材
２１  フィラー
２２  フォトインタラプタセンサ
２５  原稿サイズ検知センサ
２６  原稿サイズ検知センサの設置範囲
２７  原稿サイズ検知センサの原稿検知範囲
２８  原稿サイズ読取位置
２９  原稿読取待機位置（ホームポジション）
【図１】
2006254182.tif 000003
【図２】
2006254182.tif 000004
【図３】
2006254182.tif 000005
【図４】
2006254182.tif 000006
【図５】
2006254182.tif 000007